(57)【要約】【課題】ユーザが選択した地名に関連する地名の周辺の地図を容易に表示させることができる表示地図提案装置及びその方法を提供すること。【解決手段】表示地図提案装置（１０）は、地図上に表記された地名についての選択を受け付けると、選択された地名の属するクラスと同一のクラスに含まれる地名を複数取得する。そして、表示地図提案装置（１０）は、この複数の地名を表記した地図をユーザ端末に送信するとともに、ユーザ端末から１の地名の選択を受け付ける。表示地図提案装置（１０）は、１の地名の選択を受け付けると、この地名についての地図をユーザ端末に送信する。【選択図】図１
2010039835.tif 000002
【特許請求の範囲】
【請求項１】
ユーザ端末と通信可能に接続され、前記ユーザ端末に地図を提供する表示地図提案装置であって、
前記ユーザ端末から地図上に表記されたテキスト情報を選択する選択データを受信する地名選択受信手段と、
前記テキスト情報の地図上の属性を示すクラスを特定し、特定したクラスと同一のクラスに含まれる類似情報を複数取得するサジェスション内容決定手段と、
取得した複数の前記類似情報を表記した地図を前記ユーザ端末に送信するサジェスション内容送信手段と、
前記ユーザ端末から複数の前記類似情報のうち１の類似情報を選択することを示す表示選択データを受信する表示要求受信手段と、
前記表示選択データにより選択された１の類似情報を含む地図を決定する要求地図決定手段と、
前記要求地図決定手段により決定された前記地図を前記ユーザ端末に送信する要求地図送信手段と、
を備えることを特徴とする表示地図提案装置。
【請求項２】
請求項１記載の表示地図提案装置において、
前記サジェスション内容決定手段により取得された複数の前記類似情報のそれぞれについての地図上の位置に基づいて複数の前記類似情報のそれぞれの位置関係を算出する位置関係算出手段をさらに備え、
前記サジェスション内容送信手段は、前記位置関係に基づいて複数の前記類似情報を表記した地図を前記ユーザ端末に送信することを特徴とする表示地図提案装置。
【請求項３】
請求項１又は２記載の表示地図提案装置において、
前記地名選択受信手段により受信したテキスト情報が属する前記クラスが複数ある場合に、前記ユーザ端末からクラスの選択を受け付けるクラス選択受付手段をさらに備え、
前記サジェスション内容決定手段は、クラス選択受付手段が受け付けたクラスと同一のクラスに含まれる類似情報を複数取得することを特徴とする表示地図提案装置。
【請求項４】
請求項１から３記載の表示地図提案装置において、
前記要求地図決定手段は、特定されたクラスに応じて異なる倍率の地図を決定することを特徴とする表示地図提案装置。
【請求項５】
通信可能に接続されたユーザ端末に地図を提供する方法であって、
前記ユーザ端末から地図上に表記されたテキスト情報を選択する選択データを受信する第１ステップと、
前記テキスト情報の地図上の属性を示すクラスを特定し、特定したクラスと同一のクラスに含まれる類似情報を複数取得する第２ステップと、
取得した複数の前記類似情報を表記した地図を前記ユーザ端末に送信する第３ステップと、
前記ユーザ端末から複数の前記類似情報のうち１の類似情報を選択することを示す表示選択データを受信する第４ステップと、
前記表示選択データにより選択された１の類似情報を含む地図を決定する第５ステップと、
決定された前記地図を前記ユーザ端末に送信する第６ステップと、
を含むことを特徴とする方法。
【請求項６】
請求項５記載の方法において、
前記第２ステップにより取得された複数の前記類似情報のそれぞれについての地図上の位置に基づいて複数の前記類似情報のそれぞれの位置関係を算出する第７ステップをさらに含み、
前記第３ステップは、前記位置関係に基づいて複数の前記類似情報を表記した地図を前記ユーザ端末に送信することを特徴とする方法。
【請求項７】
請求項５又は６記載の方法において、
前記第１ステップにより受信したテキスト情報が属する前記クラスが複数ある場合に、前記ユーザ端末からクラスの選択を受け付ける第８ステップをさらに含み、
前記第２ステップは、クラス選択受付手段が受け付けたクラスと同一のクラスに含まれる類似情報を複数取得することを特徴とする方法。
【請求項８】
請求項５から７記載の方法において、
前記前記第５ステップは、特定されたクラスに応じて異なる倍率の地図を決定することを特徴とする方法。
【発明の詳細な説明】
【技術分野】
【０００１】
本発明は、ユーザの望む地図を提案する装置及びその方法に関する。特に、地図上の地名に基づいて地図の表示位置を制御する装置及びその方法に関する。
【背景技術】
【０００２】
インターネット上のサービスでは、主要な施設名、住所、郵便番号などから所望の施設などの検索が行えるようになっており、検索結果は地図画像上にアイコンなどによって表示される。また、昨今では、ローカルサーチ（地域情報検索）と呼ばれる、指定した地域内に存在する施設などの情報を検索するサービスに期待が寄せられているが、このようなローカルサーチにあっても、検索結果は地図画像上にアイコンなどによって表示されるものである。
【０００３】
例えば、特許文献１には店舗の名称、住所などから所望の店舗を検索するシステムが開示されている。また、特許文献２には地域を指定するエリアコードと地域以外を指定するカテゴリーコードとを入力して所望のホームページを検索するシステムが開示されている。
【特許文献１】特許第２８７４６４７号公報
【特許文献２】特許第３２４７３６０号公報
【発明の開示】
【発明が解決しようとする課題】
【０００４】
ところで、施設などの検索を行うこのようなサービスにあっては検索された施設などの周辺の地図が表示されることになるが、ユーザによっては検索した施設などに関連する施設の周辺の地図についても見てみたいと欲することが多々ある。従来、このような場合には新たに検索を行う必要があり、使い勝手が悪いという問題があった。
【０００５】
本発明は、このような従来の問題点に鑑みて提案されたものであり、その目的は、関連する施設などの周辺の地図を容易に表示させることができる表示地図提案装置及びその方法を提供することにある。
【課題を解決するための手段】
【０００６】
本発明では、以下のような解決手段を提供する。
【０００７】
（１）  ユーザ端末と通信可能に接続され、前記ユーザ端末に地図を提供する表示地図提案装置であって、前記ユーザ端末から地図上に表記されたテキスト情報を選択する選択データを受信する地名選択受信手段と、前記テキスト情報の地図上の属性を示すクラスを特定し、特定したクラスと同一のクラスに含まれる類似情報を複数取得するサジェスション内容決定手段と、取得した複数の前記類似情報を表記した地図を前記ユーザ端末に送信するサジェスション内容送信手段と、前記ユーザ端末から複数の前記類似情報のうち１の類似情報を選択することを示す表示選択データを受信する表示要求受信手段と、前記表示選択データにより選択された１の類似情報を含む地図を決定する要求地図決定手段と、前記要求地図決定手段により決定された前記地図を前記ユーザ端末に送信する要求地図送信手段と、を備えることを特徴とする表示地図提案装置。
【０００８】
（１）記載の表示地図提案装置によれば、サジェスション内容決定手段は、通信可能に接続されたユーザ端末にユーザが選択したテキスト情報と同一クラスに含まれる類似情報を複数取得する。そして、サジェスション内容送信手段は、この複数の類似情報を表記した地図をユーザ端末に送信する。そのため、ユーザ端末にはユーザが選択したテキスト情報に関連する複数の類似情報が表記された地図が表示されることになる。
【０００９】
そして、表示要求受信手段が、ユーザ端末から１の類似情報を選択したことを示す表示選択データを受信すると、要求地図決定手段は、この１の類似情報についての地図を決定するとともに、要求地図送信手段は、この地図をユーザ端末に送信する。そのため、ユーザ端末には、ユーザが選択した類似情報を含む地図が表示されることになる。したがって、ユーザは関連する地図上の類似情報について再度検索を行う必要がなく、関連する類似情報についての地図を容易に表示することができる。
【００１０】
（２）  （１）記載の表示地図提案装置において、前記サジェスション内容決定手段により取得された複数の前記類似情報のそれぞれについての地図上の位置に基づいて複数の前記類似情報のそれぞれの位置関係を算出する位置関係算出手段をさらに備え、前記サジェスション内容送信手段は、前記位置関係に基づいて複数の前記類似情報を表記した地図を前記ユーザ端末に送信することを特徴とする表示地図提案装置。
【００１１】
（２）記載の表示地図提案装置によれば、同一クラス内における類似情報の位置関係を反映させた上で、ユーザ端末にユーザが選択したテキスト情報に関連する複数の類似情報が表記された地図を表示させる。そのため、複数の類似情報における地図上の位置関係が視覚的に認識でき、より利便性を高めることができる。
【００１２】
（３）  （１）又は（２）記載の表示地図提案装置において、前記地名選択受信手段により受信したテキスト情報が属する前記クラスが複数ある場合に、前記ユーザ端末からクラスの選択を受け付けるクラス選択受付手段をさらに備え、前記サジェスション内容決定手段は、クラス選択受付手段が受け付けたクラスと同一のクラスに含まれる類似情報を複数取得することを特徴とする表示地図提案装置。
【００１３】
（３）記載の表示地図提案装置によれば、ユーザにより選択されたテキスト情報が複数のクラスに属する場合には、ユーザ端末から暮らすの選択を受け付ける。これにより、より詳細な分類を行うことができ、利便性をさらに高めることができる。
【００１４】
（４）  （１）から（３）いずれか記載の表示地図提案装置において、前記要求地図決定手段は、特定されたクラスに応じて異なる倍率の地図を決定することを特徴とする表示地図提案装置。
【００１５】
（４）記載の表示地図提案装置によれば、ユーザにより選択されたテキスト情報の属するクラスに応じた倍率の地図をユーザ端末に表示することができるため、より利便性を高めることができる。
【００１６】
（５）  通信可能に接続されたユーザ端末に地図を提供する方法であって、前記ユーザ端末から地図上に表記されたテキスト情報を選択する選択データを受信する第１ステップと、前記テキスト情報の地図上の属性を示すクラスを特定し、特定したクラスと同一のクラスに含まれる類似情報を複数取得する第２ステップと、取得した複数の前記類似情報を表記した地図を前記ユーザ端末に送信する第３ステップと、前記ユーザ端末から複数の前記類似情報のうち１の類似情報を選択することを示す表示選択データを受信する第４ステップと、前記表示選択データにより選択された１の類似情報を含む地図を決定する第５ステップと、決定された前記地図を前記ユーザ端末に送信する第６ステップと、を含むことを特徴とする方法。
【００１７】
（５）記載の方法によれば、（１）記載の表示地図提案装置と同様の効果を提供できる。
【００１８】
（６）  （５）記載の方法において、前記第２ステップにより取得された複数の前記類似情報のそれぞれについての地図上の位置に基づいて複数の前記類似情報のそれぞれの位置関係を算出する第７ステップをさらに含み、前記第３ステップは、前記位置関係に基づいて複数の前記類似情報を表記した地図を前記ユーザ端末に送信することを特徴とする方法。
【００１９】
（６）記載の方法によれば、（２）記載の表示地図提案装置と同様の効果を提供できる。
【００２０】
（７）  （５）又は（６）記載の方法において、前記第１ステップにより受信したテキスト情報が属する前記クラスが複数ある場合に、前記ユーザ端末からクラスの選択を受け付ける第８ステップをさらに含み、前記第２ステップは、クラス選択受付手段が受け付けたクラスと同一のクラスに含まれる類似情報を複数取得することを特徴とする方法。
【００２１】
（７）記載の方法によれば、（３）記載の表示地図提案装置と同様の効果を提供できる。
【００２２】
（８）  （５）から（７）記載の方法において、前記前記第５ステップは、特定されたクラスに応じて異なる倍率の地図を決定することを特徴とする方法。
【００２３】
（８）記載の方法によれば、（４）記載の表示地図提案装置と同様の効果を提供できる。
【発明の効果】
【００２４】
本発明によれば、ユーザが選択したテキスト情報に関連する類似情報の周辺の地図を容易に表示させることができる。
【発明を実施するための最良の形態】
【００２５】
以下、本発明の好適な実施形態について図を参照しながら説明する。以下、ユーザ端末として携帯電話機の場合を想定して主に説明するが、サービス提供者に接続可能で、Ｗｅｂページを表示可能な表示装置を備えたものであれば、他の端末（ＰＨＳ、ＰＤＡ、パソコンなど）であってもよい。
【００２６】
［表示地図提案装置を含むシステムの全体構成］
図１は、本発明の好適な一実施形態であるシステム構成の概略を示した図である。本実施形態に係る表示地図提案装置１０は、インターネットなどからなる通信ネットワーク５を介して、携帯通信端末１に接続されている。表示地図提案装置１０は、ベクトルデータで作成された地図を携帯通信端末１に提供する手段を備える。なお、本実施の形態では、「地名」とは、例えば、国名、都道府県名、地域名、などだけでなく、大学名や名所名、また駅名や路線名なども含む。すなわち、本実施の形態における「地名」には、地図上に表記され得る全てのテキスト情報を含めることができる。
【００２７】
具体的には、表示地図提案装置１０は、サジェスション内容ＤＢ２１、地図ＤＢ２３、地名選択受信手段１１、サジェスション内容決定手段１２、サジェスション内容送信手段１３、表示要求受信手段１４、要求地図決定手段１５、及び要求地図送信手段１６を備える。
【００２８】
サジェスション内容ＤＢ２１は、図２に示すように、地図上に表記される地名（テキスト情報）などについてその位置を規定するとともに、その内容及びそのクラスを規定する。クラスとは、その地名についての地図上の属性（例えば、国、都道府県、大学、路線）をいう。図２を参照して、例えば、地図上には緯度「Ｘ１」経度「Ｙ１」の位置に「新橋」と表記されるところ、その内容は「○○線の新橋駅」であることが規定されている。また、そのクラスは「Ａ」、例えば、山手線や東海道本線や京浜東北線などの駅であることが規定されている。なお、地図上の位置を規定しているのは、地図上には同一の表記がなされている場合があり、このような場合にいずれのものであるか判別するためである。ここで、地図上の位置は地図の倍率によって異なる場合があるため、サジェスション内容ＤＢ２１は、地図の倍率に応じて複数設けることが望ましい。
【００２９】
また、地図ＤＢ２３は、各種の地図を格納している。ここで、地図ＤＢ２３に格納される地図は地図上に表記された地名を携帯通信端末１のユーザが選択することができ、また、これら選択することができる地名についての位置を管理できるようにベクトルデータで作成されている。
【００３０】
地名選択受信手段１１は、ユーザによる地名の選択を受信する。サジェスション内容決定手段１２は、地名選択受信手段１１により受信したユーザの選択に対応するクラスを特定し、このクラスの内容をサジェスション内容ＤＢ２１から取得し、サジェスション内容として決定する。具体的には、特定したクラスと同一クラスに含まれる地名をサジェスション内容（類似情報）として決定する。なお、クラスの内容とは、例えば、クラスが山手線である場合には、山手線の駅が該当し、また、クラスが都道府県である場合には、都道府県名が該当する。
【００３１】
サジェスション内容送信手段１３は、サジェスション内容決定手段１２により決定されたサジェスション内容を表示した地図データを携帯通信端末１に送信する。これにより、携帯通信端末１の画面に表示された地図上にはサジェスション（図４のサジェスション１００）が表示されることになる。
【００３２】
そして、携帯通信端末１のユーザは、サジェスションが表示されるとその後表示させたいサジェスション内容を選択するところ、表示要求受信手段１４は、このようなユーザの選択を受信する。要求地図決定手段１５は、表示要求受信手段１４により受信したユーザの選択に対応する地図データを地図ＤＢ２３から取得する。要求地図送信手段１６は、取得した地図データを携帯通信端末１に送信する。
【００３３】
［表示地図提案装置を含むシステムの基本動作］
図３は、上記のシステムにおける処理の流れの詳細を示した図である。
【００３４】
まず、携帯通信端末１がベクトルデータで作成された地図上の地名（テキスト情報）を選択すると（ステップＳ１）、この選択された地名を示す選択データが表示地図提案装置１０に送信される。地名選択受信手段１１によりこの選択データを受信すると、表示地図提案装置１０のサジェスション内容決定手段１２は、選択データに基づいてそのクラスを特定するとともに（ステップＳ２）、特定したクラスに対応する内容を取得し（ステップＳ３）、サジェスション内容（類似情報）を決定する（ステップＳ４）。そして、サジェスション内容送信手段１３は、決定されたサジェスション内容を表示した地図データを携帯通信端末１に送信する。
【００３５】
携帯通信端末１では、このデータを受信すると、地図上にサジェスションを表示し、ユーザが表示を望む地域についての要求を選択する（ステップＳ５）。この選択データは、表示地図提案装置１０に送信される。
【００３６】
この選択データを受信すると、要求地図決定手段１５は、選択データに対応する地図を取得し（ステップＳ６）、要求地図送信手段１６は、この地図の地図データを携帯通信端末１に送信する。そして、携帯通信端末１では、送信された地図データに対応する地図を表示する（ステップＳ７）。
【００３７】
［携帯通信端末における表示例］
図４における携帯通信端末１の表示例を参照して、上記処理を具体的に説明する。
【００３８】
本実施の形態における地図はベクトルデータで作成され、地図上の表記はユーザが選択することができる。そして、地図上の表記をユーザが選択した場合には、その表記に対応するサジェスションが表示されるところ（ステップＳ１〜ステップＳ４）、図４の（１）は、サジェスションが表示された際の表示例を示す。
【００３９】
図４の（１）を参照して、地図上の新橋がユーザによって選択されると（ステップＳ１）、新橋を選択したことを示す選択データが表示地図提案装置１０に送信される。ここで、地図上の表記には地図上の位置が規定されており、ユーザにより選択された地名はこの位置により具体的に特定される。ここで、図４の（１）では緯度「Ｘ１」経度「Ｘ２」の新橋が選択されている。そのため、この位置データからサジェスション内容決定手段１２により選択データに対応するクラスを「Ａ」と特定する（ステップＳ２）。
【００４０】
図４の（１）においては、クラスＡとは山手線の駅を示しており、サジェスション内容決定手段１２は、クラスＡの山手線の駅のうち、選択された新橋（駅）の周囲の駅を取得し（ステップＳ３）、サジェスション内容と決定する（ステップＳ４）。
【００４１】
そして、このサジェスション内容についてのデータが携帯通信端末１に送信されると、携帯通信端末１に表示された地図上にはサジェスション１００が表示される。このサジェスション１００は、クラスＡの山手線の駅に対応している。すなわち、サジェスション内容１０１，１０２，１０３，１０４，１０５は山手線の駅名に対応しており、特に、ステップＳ１で選択された新橋の周囲数駅を示している。
【００４２】
そして、サジェスション１００内のサジェスション内容１０１，１０２，１０３，１０４，１０５をユーザが選択することにより、選択したサジェスション内容に対応する地図が表示されるところ（ステップＳ５〜ステップＳ７）、図４の（２）は、サジェスション内容１０３の新橋が選択された際の表示例を示している。
【００４３】
図４の（１）において表示されたサジェスション１００内のサジェスション内容１０３の新橋が選択されると（ステップＳ５）、この選択データが表示地図提案装置１０に送信される。この選択データを受信すると、要求地図決定手段１５は、選択データに対応する地図、すなわち、新橋駅周辺の地図データを地図ＤＢ２３から取得する（ステップＳ６）。この地図データは、要求地図送信手段１６により携帯通信端末１に送信され、図４の（２）に示すように携帯通信端末１には、新橋駅１１０を中心とする地図が表示される（ステップＳ７）。
【００４４】
なお、要求地図決定手段１５が取得する地図データは、選択されたサジェスション内容選択されたサジェスション内容１０３（新橋駅）を中心に表示する地図に関する地図データとしているところ、このように選択されたサジェスション内容を中心に表示するためには、各サジェスション内容について地図上の位置を管理していればよい。そのため、本実施の形態では、各サジェスション内容についての地図上の位置を緯度・経度などにより管理することとしている。
【００４５】
［サジェスション内容の表記方法］
ところで、本実施の形態では駅だけでなく地図上に表記された地域（都道府県など）についてもユーザが選択することができるようにしているところ、地域名についてのサジェスションを表示した場合に、単に選択された地域の周囲の地域を表示しただけでは好ましくない場合がある。例えば、長野県（クラス・都道府県）が選択された場合、長野県の周囲の数県がサジェスション内容として決定されることになる。この場合において、長野県の周囲にある県のうち長野県の下にある県などのようにその位置関係によって地図を選択したい場合、長野県の周囲の県を単純に表示するだけでなく、その位置関係も反映させた表示をすることが好ましい。
【００４６】
そこで、本実施の形態では、図５に示すように位置関係も反映させた上でサジェスション内容を表示することとしている。
【００４７】
図５の（１）において、地図上に表示された港区（クラス・２３区）が選択されると、港区のクラスに対応する内容のうち港区の周囲の内容がサジェスション内容として決定される。例えば、サジェスション内容２０１（品川区）、２０２（港区）、２０３（目黒区）、２０４（渋谷区）、２０５（中央区）、２０６（千代田区）がサジェスション内容として決定される。これらサジェスション内容には、それぞれ地図上の位置が管理されており、互いの位置関係も容易に算出することができる。
【００４８】
これにより、サジェスション内容の地図上の位置を用いて、例えば、港区の左側には目黒区、港区の下には品川区などのように同一クラス内の位置関係を反映させてサジェスション２００内に表示させるようにすることができる。
【００４９】
なお、サジェスション内容決定手段１２に、地図上の位置から同一クラス内の位置関係を算出する機能（位置関係算出手段）を持たせることで実現可能であるが（図５の（２））当該機能を持つ手段をサジェスション内容決定手段１２とは別に設けることとしてもよい。
【００５０】
［クラスの選択］
ここで、地図上に表記された地名によっては複数のクラスを有することがある。例えば、新橋駅は山手線の他に東海道本線や京浜東北線などのクラスを有する。本実施の形態では、このように複数のクラスを有する地名が選択された場合に、クラスの選択を受け付けることとしている。そこで、図６を参照して、クラスの選択について説明する。
【００５１】
図６の（１）では、地図上に表記された地名のうち複数のクラスを有する新橋が選択されている。そのため、地図上にはサジェスション３００の中にクラス選択内容３０１，３０２，３０３，３０４が表示される。携帯通信端末１のユーザは、クラス選択内容３０１，３０２，３０３，３０４を選択することで、クラスを特定することができる。
【００５２】
なお、このようにクラスの選択を受け付けるためには、サジェスション内容決定手段１２に携帯通信端末１からクラスの選択を受け付ける機能（クラス選択受付手段）を持たせることで実現可能である（図６の（２））。すなわち、サジェスション内容決定手段１２は、クラスを特定することろ（ステップＳ２）、特定したクラスが複数ある場合には、クラス内容を携帯通信端末１に送信し、携帯通信端末１からクラスの選択を受けることとすることにより１のクラスを特定することができる。なお、携帯通信端末１からクラスの選択を受け付ける機能を持つ手段をサジェスション内容決定手段１２とは別に設けることとしてもよい。
【００５３】
［サジェスション内容の選択］
図７はサジェスション内容の選択についての利便性を高めるためにより好適な例を示す。図７に示すようにサジェスション４００内にはカーソル４０５が表示される。携帯通信端末１においてこのカーソル４０５を操作することによりサジェスション４００内に表示されるサジェスション内容がスクロールされる（図７の（１）、（２）参照）。その結果、ユーザはサジェスション内のサジェスション内容をより自由に選択できるようになる。
【００５４】
［クラスと地図の倍率との関係］
本実施の形態では、選択されたサジェスション内容に対応する地図データを携帯通信端末１に送信するところ、クラスの種類によっては地図の倍率が適切でない場合がある。そこで、本実施の形態では、クラスの種類に適した地図データを携帯通信端末１に送信することとしている。
【００５５】
図８の（１）は、倍率カーソル６００を参照すると倍率が中の地図であることが分かる。この地図において港区（クラス・２３区）が選択されるとサジェスション４００が表示される。図８の（２）はサジェスション内容「港区」が選択された場合の地図である。図８の（２）では、倍率カーソル６００を参照すると、サジェスション内容を選択する前までは中であった倍率が小に変更されている。
【００５６】
同様に、図８の（１）の地図において新橋（クラス・山手線）が選択されるとサジェスション５００が表示される。図８の（３）はサジェスション内容「新橋駅」が選択された場合の地図である。図８の（３）では、倍率カーソル６００を参照すると、サジェスション内容を選択する前までは中であった倍率が大に変更されている。
【００５７】
このように本実施の形態における表示地図提案装置１０（要求地図決定手段１５）では、サジェスション内容の属するクラスに応じた倍率の地図データを取得することとしている。その結果、ユーザの選択に好適な大きさの地図を提供することができ、より利便性を高めることができる。
【００５８】
以上、本発明の実施形態について説明したが、本発明は上述した実施形態に限るものではない。例えば、本実施の形態では地図上に表記された駅名や地域名を例にとって説明したがこれに限られるものではない。例えば、国名、学校名、名所名など管理者が任意に設定することができる。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００５９】
【図１】本発明の実施形態における表示地図提案装置を含むシステムを示す図である。
【図２】サジェスション内容ＤＢを示す図である。
【図３】上記システムの基本動作を示す図である。
【図４】携帯通信端末における表示例を示す図である。
【図５】サジェスション内容の表記方法を示す図である。
【図６】クラスの選択方法を示す図である。
【図７】サジェスション内容の選択を示す図である。
【図８】クラスと地図の倍率との関係を示す図である。
【符号の説明】
【００６０】
１０  表示地図提案装置
１１  地名選択受信手段
１２  サジェスション内容決定手段
１３  サジェスション内容送信手段
１４  表示要求受信手段
１５  要求地図決定手段
１６  要求地図送信手段
２１  サジェスション内容ＤＢ
２３  地図ＤＢ
【図１】
2010039835.tif 000003
【図２】
2010039835.tif 000004
【図３】
2010039835.tif 000005
【図４】
2010039835.tif 000006
【図５】
2010039835.tif 000007
【図６】
2010039835.tif 000008
【図７】
2010039835.tif 000009
【図８】
2010039835.tif 000010